(57)【要約】【課題】自動販売機等の運搬、設置に際してそのフロント面を有効に保護して自動販売機のフロント面の装飾の制約を無くするとともに自動販売機等の損傷等の早期発見を可能にした自動販売機等の運搬用治具を提供すること。【解決手段】一対の長尺状のメインシャフト（２０１）と該メインシャフト（２０１）を連通した連通用シャフト（２０２）を備えた本体部（２）と、前記メインシャフト（２０２）の上端部分に基端部分が連設されるとともに先端部分が自動販売機等の天板に固定される上側連結部（３）と、前記メインシャフト（２０２）の下端部分に基端部分が連設されるとともに先端部分が自動販売機等のフロント面下方部分に固定される下側連結部（４）と、前記本体部（２）の左右方向に張り出させた、複数本の延長シャフト（５０１）と該延長シャフト（５０１）を連通した把手用連通シャフト（５０２）を備えた把手部（５）を具備した。【選択図】図１
2007079889.tif 000002
【特許請求の範囲】
【請求項１】
自動販売機等の運搬用治具であって、
自動販売機の正面側に配置される本体部（２）と、
該本体部（２）の上端部分に基端部分が連設されるとともに、先端部分が自動販売機等の天板に固定される上側連結部（３）と、
前記本体部（２）の下端部分に基端部分が連設されるとともに、先端部分が自動販売機等のフロント面下方部分に固定される下側連結部（４）と、を具備したことを特徴とする自動販売機等の運搬用治具。
【請求項２】
前記本体部（２）は、一対の長尺状のメインシャフト（２０１）と、該メインシャフト（２０１）を連通した連通用シャフト（２０２）とを有し、
前記上側連結部（３）は、前記メインシャフト（２０１）の上端部分にそれぞれ連設された一対のシャフト状物であり、
前記下側連結部（４）は、前記メインシャフト（２０１）の下端部分にそれぞれ連設された一対のシャフト状物であることを特徴とする請求項１に記載の自動販売機等の運搬用治具。
【請求項３】
前記本体部（２）における連通用シャフト（２０２）を上下多段に亘り複数本備えたことを特徴とする請求項２に記載の自動販売機等の運搬用治具。
【請求項４】
前記本体部（２）の左右方向に把手部（５）を張り出させたことを特徴とする請求項１乃至請求項３のいずれかに記載の自動販売機等の運搬用治具。
【請求項５】
前記把手部（５）は、前記本体部（２）の左右方向に突設させた延長シャフト（５０１）であることを特徴とする請求項４に記載の自動販売機等の運搬用治具。
【請求項６】
前記把手部（５）は、前記本体部（２）の左右方向に上下多段に亘り突設させた複数本の延長シャフト（５０１）と、該延長シャフト（５０１）を連通した把手用連通シャフト（５０２）とを備えたことを特徴とする請求項４に記載の自動販売機等の運搬用治具。
【請求項７】
前記下側連結部（４）は、斜め上方に立ち上がる配置で、前記本体部（２）と連結したことを特徴とする請求項１乃至請求項６に記載の自動販売機等の運搬用治具。
【請求項８】
少なくとも前記上側連結部（３）又は下側連結部（４）のいずれか一方を本体部（２）に対して折りたたみ自在としたことを特徴とする請求項１乃至請求項７に記載の自動販売機等の運搬用治具。
【発明の詳細な説明】
【技術分野】
【０００１】
本発明は自動販売機、ショーケース等を運搬、設置する際に用いる運搬用治具に係り、より詳しくは、自動販売機、ショーケース等を、そのフロント面を有効に保護しつつ運搬、設置可能とした自動販売機等の運搬用治具に関する。
【背景技術】
【０００２】
一般的に、自動販売機やショーケースは、その設置、あるいは回収に際しては、いわゆる「ねこ」と呼ばれる手押しの運搬具を用いて運搬されるが、このとき、設置の際の容易性を考慮して、自動販売機等のフロント面を下側にして運搬具に乗せ、この状態で設置場所等に運搬していくのが一般的である。
【０００３】
このように、自動販売機等はその運搬に際してフロント面を下側にして運搬していくため、フロント面を保護するためにもフロント側の形状等に制約が生じてしまい、それにより、装飾性に富んだインパクトのある自動販売機を製造できないという問題点が従来から指摘されていた。
【０００４】
即ち、インパクトのある自動販売機等にするためには、フロント側に目立つ装飾を施すことが望ましく、そのためには、例えばフロント面に凹凸を有する商品広告等を形成したり、フロント面を正面側に向けて湾曲したりすることが考えられるが、例えばフロント面に凹凸を形成した場合、あるいはフロント面を正面側に向けて湾曲させた場合には、運搬の際にこの凹凸を形成した部分、あるいは湾曲部分が下側になるため、運搬中の振動等により、これらの凹凸面、湾曲面が損傷してしまうことも十分に考えられる。
【０００５】
またこのほか、自動販売機やショーケースの設置、回収に際しては、クレーン、リフトを用いることもあり、例えばクレーンを用いた場合には、自動販売機にロープをかけて、このロープにクレーンの先端を引っかけて、これによりクレーンで自動販売機を吊しながら移動、設置を行うが、このとき、フロント面に凹凸を形成した場合、あるいはフロント面を正面側に向けて湾曲させた場合において、この凹凸部分等にロープがかかってしまった場合には凹凸面等が割れてしまうことも考えられる。更に、クレーンで吊っている途中で作業者が自動販売機の揺れを止めるために自動販売機に触れる場合があるが、このときもまた、自動販売機は一般的に４００ｋｇ以上の重量であるため、フロント面に凹凸を形成した場合、あるいはフロント面を正面側に向けて湾曲させた場合において、この凹凸部分等に作業者が触れてしまった場合には、凹凸面等が割れてしまうことも考えられる。
【０００６】
そのために、従来の自動販売機等では、運搬の際の損傷を最小限に抑えることを目的として、フロント面はできるだけフラットにすることが行われており、それにより、特にフロント面の装飾の自由度が制約されてしまい、インパクトのある自動販売機等の製造には限界が生じていた。
【０００７】
また、従来は、自動販売機等の損傷を防止するために、自動販売機等の運搬、保管等の際には自動販売機を梱包材により梱包しており、例えば、梱包の方法としては、発泡スチロールを天板部分の四隅に装着するとともにこの発泡スチロールをロープ等で固定する方法や厚紙、段ボールを用いて自動販売機に蓋をする方法等が採用されているが、このように梱包材により自動販売機を梱包してしまうと、運搬等の際に自動販売機にヘコミ等が生じてしまった場合でも、設置場所で梱包材を解くまでそのヘコミ等に気づかず、交換等のために二度手間になってしまう場合も考えられる。
【発明の開示】
【発明が解決しようとする課題】
【０００８】
そこで、本発明は、自動販売機、ショーケース等を、そのフロント面を有効に保護しつつ運搬、設置可能とし、自動販売機のフロント面の装飾の制約を無くするとともに、従来から用いられていた梱包材等を不要にした自動販売機等の運搬用治具を提供することを課題としている。
【課題を解決するための手段】
【０００９】
本発明の自動販売機等の運搬用治具は、自動販売機等の運搬用治具であって、自動販売機の正面側に配置される本体部と、該本体部の上端部分に基端部分が連設されるとともに、先端部分が自動販売機等の天板に固定される上側連結部と、  前記本体部の下端部分に基端部分が連設されるとともに、先端部分が自動販売機等のフロント面下方部分に固定される下側連結部と、を具備したことを特徴としている。
【発明の効果】
【００１０】
本発明の自動販売機等の運搬用治具では、自動販売機の正面側に配置されることにより自動販売機のフロント面を保護するための本体部を有しているため、本発明の運搬用治具を自動販売機に装着することにより、運搬等の際に自動販売機のフロント面が下側になった場合でも、あるいはクレーンで自動販売機を吊る場合でも自動販売機のフロント面を保護することが可能となり、従来はフラットにしなければならないという制約のあった自動販売機のフロント面を自由に装飾することが可能となる。
【００１１】
また、このように、本発明の自動販売機等の運搬用治具では、自動販売機のフロント面を保護することが可能であるために、従来から用いられていた梱包材を不要とし、それにより、自動販売機等にヘコミ等が生じた場合には早期にそれに気づくことが可能である。
【発明を実施するための最良の形態】
【００１２】
本発明の自動販売機等の運搬用治具では、自動販売機の正面側に配置されることにより自動販売機のフロント面を保護するための本体部を有しており、この本体部の上端部には、先端部分が自動販売機等の天板に固定される上側連結部の基端部が連設されている。
【００１３】
また、本体部の下端部には、先端部分が自動販売機等におけるフロント面下方部分に固定される下側連結部の基端部が連設されており、これにより、前記上側連結部と下側連結部とは、本体部により連通されている。
【００１４】
ここで、前記本体部を、一対の長尺のメインシャフトと、このメインシャフトを連通した１又は複数本の連通用シャフトで構成するとともに、前記上側連結部を前記メインシャフトのそれぞれの上端部分に連結される一対の長尺のシャフトにより構成し、更に、下側連結部を前記メインシャフトのそれぞれの下端部分に連設される一対の長尺のシャフト状物により構成するとよく、これにより、全体の軽量化をはかることができるとともに、死角部分を無くして自動販売機等にヘコミ等が生じた際により早期にこれを発見することが可能となる。
【００１５】
また、前記本体部に、左右方向に把手部を張り出させて連設するとよく、これにより運搬作業等を容易にすることが可能となる。
【００１６】
そしてこのとき、把手部を、本体部の左右方向に突設させた複数本の延長シャフトと、左右それぞれの延長シャフトの先端部を連通した把手用連通シャフトにより構成するとよく、これにより、より、運搬作業等を容易にすることが可能となる。
【００１７】
また、前記下側連結部は、自動販売機におけるフロント面下方部分から斜め上方へテーパー状に立ち上がる形態で本体部に連設するとよく、これにより、設置場所まで運搬してきた自動販売機を起こして設置する作業が容易となる。
【００１８】
更に、少なくとも前記上側連結部又は下側連結部のいずれか一方を本体部に対して折りたたみ自在にするとよく、これにより、自動販売機を設置した後に治具を持ち帰る際に治具がスペースをとらなくすることができる。
【実施例１】
【００１９】
本発明の自動販売機等の運搬用治具（以下単に「運搬用治具」という。）の実施例について図面を参照して説明すると、図１は本実施例の運搬用治具を説明するための斜視図であり、図２は本実施例の運搬用治具を自動販売機に装着した状態の斜視図、図３は本実施例の運搬用治具を自動販売機に装着した状態の側面図であり、図において１が本実施例の運搬用治具である。また、図２及び図３においてＶは自動販売機である。
【００２０】
そして、本実施例の運搬用治具１は、自動販売機等のフロント面を保護するための本体部と、この本体部を自動販売機に装着するための上側連結部及び下側連結部により構成されている。
【００２１】
即ち、図において２が本体部であり、本実施例において本体部２は、一対個とした金属製の長尺のメインシャフト２０１と、このメインシャフト２０１間に、上下二段に亘って配置した連通用シャフト２０２とを有しており、これにより本体部２が構成されている。
【００２２】
次に、前記メインシャフト２０１のそれぞれにおける先端部には、前記本体部２の上部部分と自動販売機Ｖとを連結するための上側連結部３が連設されている。そして、本実施例において前記上側連結部３は、前記メインシャフト２０１の先端部にメインシャフト２０１と同方向に向けて連設された連設部３０１と、この連設部３０１の先端部に角度をつけて連設された延長部３０２とを有するとともに、延長部３０２は、連設部３０１に対して９０度前後の角度をもって連設されており、これにより延長部３０２の先端部を自動販売機の天板に固定可能としている。
【００２３】
なお、本実施例においては、図にも示されているように、前記それぞれの延長部３０２の先端部を下方側に変形させるとともにこの変形させた先端部を上側連通シャフト３０３により連通し、これにより、前記上側連結部３を平面視野で略コ字状になる形状としている。そして、前記上側連通シャフト３０３の両端部分にボルト孔３０４を形成し、このボルト孔３０４を介して、上側連結部３を自動販売機の天板に固定可能としている。但し、上側連通シャフト３０３は必ずしも必要なものではなく、それぞれの延長部３０２を自動販売機Ｖの天板に固定してもよい。
【００２４】
次に、前記メインシャフト２０１のそれぞれにおける下端には、前記本体部２の下部部分と自動販売機とを連結するための下側連結部４が連設されている。そして、本実施例において前記下側連結部４は、前記メインシャフト２０１の下端部にメインシャフト２０１と同方向に向けて連設された連設部４０１と、この連設部４０１の先端部に角度をつけて連設された延長部４０２とを有しており、延長部４０２は、後方側（自動販売機側）へ向けて、連設部４０１と延長部４０２とで広角度が形成されるようにして連設部４０１に連設されている。そしてこれにより、図３にも示されるように、下側連結部４は、その先端部を自動販売機におけるフロント面下方部分に固定した際に、斜め上方へ立ち上がるようにしている。
【００２５】
また、本実施例において前記下側連結部４は、それぞれの延長部４０２の先端部を下側連通シャフト４０３により連通するとともに、下側連通シャフト４０３の両端部分にボルト孔４０４を形成し、このボルト孔４０４を介して、下側連結部４を自動販売機におけるフロント面下方部分に固定可能としている。但し、下側連通シャフト４０３は必ずしも必要なものではなく、それぞれの延長部４０２を自動販売機Ｖのフロント面に固定してもよい。
【００２６】
次に、図において５は把手部である。即ち、本実施例の運搬用冶具では、前記本体部２の左右方向に把手部５を張り出させ、これにより自動販売機に触れることなくその移動等を可能にしている。
【００２７】
ここで、前記把手部５について説明すると、本実施例において前記把手部５は、前記連通用シャフト２０２のそれぞれを左右方向に延長させる形態で形成した把手用の延長シャフト５０１と、この把手用の延長シャフト５０１の先端部を連通したシャフト状の把手用連通シャフト５０２とにより構成され、把手用連通シャフト５０２を把手本体としている。そして、自動販売機を移動させる際には把手本体５０２をつかんで移動可能としている。
【００２８】
次に、このように構成される本実施例の運搬用冶具の作用について説明すると、本実施例の運搬用冶具１を用いるときには、ボルトを用いて、前記上側連通シャフト３０３の両端部分を自動販売機Ｖの天板に固定するとともに、同じくボルトを用いて、下側連通シャフト４０３の両端部分を、自動販売機Ｖにおけるフロント面の下方部分に固定する。
【００２９】
そして、この状態において、「ねこ」等の運搬具を用いて運搬するときは本体部２を下側にして運搬具に乗せ、クレーン等により運搬するときは把手部５等にロープを引っ掛けて運搬する。
【００３０】
そしてこのとき、本実施例の運搬用冶具では、自動販売機の正面側に本体部２が配置されるため、自動販売機等のフロント面を下側にして運搬した場合でも本体部２により自動販売機等のフロント面を保護できる。また、クレーン等で運搬する場合においても、把手部５にロープを引っ掛け、及び、運搬途中で作業者が自動販売機の揺れを止める場合も把手部５等を抑えることにより、自動販売機が損傷することを有効に防止することができる。
【００３１】
このように、本実施例の運搬用冶具を用いることで、自動販売機のフロント面を有効に保護することができるため、フロント面の装飾の制約を無くすことができ、装飾性に富んだインパクトのある自動販売機を製造することができる。
【００３２】
また、本実施例の運搬用冶具を用いることにより自動販売機のフロント面を有効に保護することができることにより、従来から用いられていた梱包材等が不要になり、何らかの原因で自動販売機にヘコミ等が生じた場合でも早期に発見することができ、設置後にヘコミ等を発見して交換等の２度手間が生じる問題点を解決することも可能である。
【００３３】
更に、本実施例の運搬用冶具では、これを用いて自動販売機を所定の場所に設置した後には、自動販売機より取り外して他の自動販売機の運搬等に用いることができ、即ち再利用が可能であるため、使い捨ての発泡スチロールを装着して保護する場合と異なり、資源の節約にも資することができる。
【００３４】
更にまた、下側連結部４を斜め上方へ立ち上げることにより、倒した状態の自動販売機を起こす際、あるいは設置してある自動販売機を倒しつつ運搬具に乗せる際には、下側連結部４が作業の邪魔になることを防止可能である。即ち、例えば、下側連結部４における連設部４０１に対して延長部４０２を９０度前後で連設した場合には、倒した状態の自動販売機を起こす際、あるいは設置してある自動販売機を倒しつつ運搬具に乗せる場合には、連設部４０１と延長部４０２との連結部分が障害になり作業性が悪くなってしまうが、本実施例では、下側連結部４が斜め上方へ立ち上がるようにしているため、作業効率を良くすることが可能である。
【００３５】
なお、前述の実施例では、本体部２、上側連結部３及び下側連結部４をシャフトにより構成した形態について説明したが、必ずしもシャフトにより構成する必要はなく、例えば板状の本体部、上側連結部及び下側連結部としてもよい。
【００３６】
また、本体部２をシャフトにより構成する場合においても、連通用シャフト２０２は必ずしも２本とする必要はなく、１本あるいは３本以上としてもよい。
【００３７】
更に、把手部５は、必ずしも本体部２の左右方向に張り出して形成する必要もなく、本体部２の正面側に取り付けてもよい。
【００３８】
更にまた、把手部５を本体部２の本体部２の左右方向に張り出して形成する場合においても、必ずしも前述した構成にする必要はなく、手、ロープ等を掛ける場所が備わっていればよい。
【００３９】
また、前記実施例１では、自動販売機の運搬用治具として説明したが、本発明は必ずしも自動販売機用の運搬治具には限定されず、その他、例えば飲料、食品等を収容するショーケースの運搬用治具として用いることも可能である。
【実施例２】
【００４０】
次に、本発明の運搬用治具の他の実施例について図４乃至図６を参照して説明すると、本実施例の運搬用治具１１は、本体部２に対して上側連結部３を折りたたみ自在とした点を特徴としている。
【００４１】
即ち、本実施例の運搬用治具１１においては、上側連結部３における連設部３０１と延長部３０２とを、その連設部分において互いに折り曲げ自在に連結するとともにピン７により軸支し、これにより、本体部２に対して上側連結部３を折りたたみ自在としている。なお、本実施例において前記連設部３０１と延長部３０２との連結方法としては、図４からも明らかなように、連設部３０１の先端部の一部と延長部３０２の基端部の一部を、連設部３０１の先端部と延長部３０２の基端部が互いに嵌合かつ回動可能なように切り欠くとともに、切り欠いた部分をピン７で貫き、これにより前記連設部３０１と延長部３０２とを折りたたみ自在に連結している。
【００４２】
そして、このような構成により、図５に示すような通常の状態において延長部３０２に下側の力を加えることにより、図６に示すように延長部３０２を本体部側に折りたたむことが可能となり、運搬用治具１１を持ち帰る際にスペースを取ることを回避できる。
【００４３】
なお、本実施例においては、連設部３０１に対して延長部３０２を折りたたみ自在としているが、必ずしもこのようにする必要はなく、本体部２に対して上側連結部３を折りたたみ自在としてあればよく、例えばメインシャフト２０１に対して連設部３０１を折りたたみ自在としてもよい。
【００４４】
また、このとき、更に下側連結部４を本体部２に対して折りたたみ自在としてもよく、あるいは、下側連結部４のみを本体部２に対して折りたたみ自在としてもよい。
【００４５】
なお、本実施例の運搬用治具では、上側連結部３を折りたたみ自在にした点を特徴としており、その他の構成、作用等は前述の実施例１に記載の運搬用治具と同様であるために、重複した説明は省略するとともに、同一部品には同一符号を付した。
【００４６】
また、前記実施例２の運搬用治具は、実施例１の場合と同様に、自動販売機用の運搬治具には限定されず、その他、例えば飲料、食品等を収容するショーケースの運搬用治具として用いることも可能である。
【産業上の利用可能性】
【００４７】
本発明の運搬用冶具は、自動販売機等の正面側に配置されることで自動販売機等のフロント面を保護可能であるため、商品を収納して展示する機器を運搬する際に用いる運搬用治具の全般に適用可能である。
【図面の簡単な説明】
【００４８】
【図１】本発明の運搬用冶具の実施例を説明するための斜視図である。
【図２】本発明の運搬用冶具の実施例を自動販売機に装着した状態を示す斜視図である。
【図３】本発明の運搬用冶具の実施例を自動販売機に装着した状態を示す側面図である。
【図４】本発明の運搬用冶具の他の実施例を説明するための斜視図である。
【図５】本発明の運搬用冶具の他の実施例の側面図である。
【図６】本発明の運搬用冶具の他の実施例において上側連結部を折りたたんだ状態を示す側面図である。
【符号の説明】
【００４９】
１、１１    運搬用冶具
２    本体部
２０１    メインシャフト
２０２    連通用シャフト
３    上側連結部
３０１    連設部
３０２    延長部
３０３    上側連通シャフト
３０４    ボルト孔
４    下側連結部
４０１    連設部
４０２    延長部
４０３    下側連通シャフト
４０４    ボルト孔
５    把手部
５０１    把手用の延長シャフト
５０２    把手用連通シャフト（把手本体）
７    ピン
【図１】
2007079889.tif 000003
【図２】
2007079889.tif 000004
【図３】
2007079889.tif 000005
【図４】
2007079889.tif 000006
【図５】
2007079889.tif 000007
【図６】
2007079889.tif 000008